(57)【特許請求の範囲】
【請求項１】
取引の履歴をログファイルとして記憶する記憶手段と、取り外しが可能な電子記録媒体にログファイルを書き込む記録媒体書込手段を有する自動取引装置において、
電子記録媒体に書き込みを行っていないログファイルを第１の状態のログファイル、電子記録媒体に１度目の書き込みを行ったログファイルを第２の状態のログファイル、第１の状態のログファイルとして前記記憶手段に記憶されてから一定期間が経過した第２の状態のログファイルを第３の状態のログファイルとして、これら各ログファイルを前記記憶手段に記憶させ、
所定のタイミングで前記第１の状態のログファイルと前記第３の状態のログファイルを前記記録媒体書込手段により同一の電子記録媒体に書き込むことを特徴とする自動取引装置。
【請求項２】
自動取引装置の取引の履歴をログファイルとして該自動取引装置に設けられた記憶手段に記憶し、取り外しが可能な電子記録媒体に該自動取引装置に設けられた記録媒体書込手段でログファイルを書き込むログファイルの記録方法において、
電子記録媒体に書き込みを行っていないログファイルを第１の状態のログファイル、電子記録媒体に１度目の書き込みを行ったログファイルを第２の状態のログファイル、第１の状態のログファイルとして前記記憶手段に記憶されてから第１の期間を経過した第２の状態のログファイルを第３のログファイルとして、これら各ログファイルを前記記憶手段に記憶させ、
所定のタイミングで前記第１の状態のログファイルと前記第３の状態のログファイルを前記記録媒体書込手段により同一の電子記録媒体に書き込むことを特徴とするログファイルの記録方法。
【請求項３】
請求項１において、
前記所定のタイミングは自動取引装置の電源投入時、電源終了処理時、所定の時刻のいずれかとすることを特徴とする自動取引装置。
【請求項４】
請求項１または請求項３において、
電子記録媒体に書き込んだ第３の状態のログファイルを第４の状態のログファイルとして記憶手段に記憶し、電子記録媒体への前記第１の状態のログファイルと第３の状態のログファイルの書き込み時に、前記記憶手段に記憶されてから前記第１の期間より長い第２の期間を経過した第４の状態のログファイルを前記記憶手段から削除することを特徴とする自動取引装置。
【請求項５】
請求項１、請求項３、または請求項４において、
前記記憶手段として第１の記憶手段と第２の記憶手段を備え、
該第１の記憶手段と第２の記憶手段に同一内容のログファイルを日付を入れて記憶させ、
電子記憶媒体へのログファイルの書き込み時にそれぞれ同一日付の第１の状態のログファイル、同一日付の第３の状態のログファイルを前記第１の記憶手段と前記第２の記憶手段から選定して、前記第１の記憶手段から選定した前記ログファイルと前記第２の記憶手段から選定した前記ログファイルとの同一性を確認し、同一性が認められた場合、第１の状態のログファイルと第３の状態のログファイルを前記記録媒体書込手段により前記電子記憶媒体に書き込むことを特徴とする自動取引装置。
【請求項６】
請求項１、請求項３乃至請求項５のいずれか１項において、
現在セットされている電子記録媒体に既に書き込んであるログファイルを示す管理情報を前記記憶手段に記録しておき、
現在セットされている電子記録媒体にログファイルを書き込むときにエラーが発生した場合は、そのエラーが発生した電子記録媒体に変えてセットされた新規の電子記録媒体に、前記管理情報をもとにエラーが発生した電子記録媒体書き込まれていたすべてのログファイルと同一のログファイルを前記記録媒体書込手段により書き込むことを特徴とする自動取引装置。
【請求項７】
請求項６において、
本日の現時点までの取引履歴のログファイルの書き込みを指示する手段を備え、
該手段により書込みが指示された場合は、現在セットされている電子記録媒体に本日の現時点までの取引履歴のログファイルを前記記録媒体書込手段により書き込み、
書み込み終了後、前記電子記録媒体と交換にセットされた新規の電子記録媒体に、前記管理情報をもとに交換前の電子記録媒体書き込まれていたすべてのログファイルと同一のログファイルを書き込むことを特徴とする自動取引装置。
【請求項８】
請求項１、請求項３乃至請求項７のいずれか１項において、
電子記録媒体に電子署名を付加することを特徴とする自動取引装置。
【発明の詳細な説明】
【０００１】
【発明の属する技術分野】
本発明は、自動取引装置およびログファイルの記録方法に関し、さらに詳しくは、自動取引装置などで取り引きを行ったことの証拠として生成されるロギングデータの記録に関する。
【０００２】
【従来の技術】
銀行などの金融機関に設置されている従来の自動取引装置では、取り引きを行ったことの証拠として、ログファイルをリアルタイムに紙に印刷することが一般的であった。
なお、ログファイルを印刷するプリンタはジャーナルプリンタと呼ばれており、紙に印刷されたログファイルは紙ジャーナルと呼ばれている。
【０００３】
【発明が解決しようとする課題】
しかしながら、従来の自動取引装置ではログファイルを紙に印刷しているため検索における操作性が低下する問題がある。また、紙ジャーナル費用、装填などに要する人件費、紙ジャーナルの保存管理などに起因してランニングコストが高くなってしまう問題がある。
【０００４】
なお、ログファイルを紙ジャーナルに印字するまでに一時的に電子データとして保存して、印字後にそのデータを破棄する方式は知られている。これは、電子データに対する信頼性が、紙よりも低いと考えられていたためであり、自動取引装置では取引の証拠として絶対的な信頼性が必要であったことに起因している。紙は燃えない限り残っている（１０年間）、ちぎれても読むことができるなど、電子データは記録の仕方によっては、一ヵ所のビット誤りが発生した場合、全てのデータが読めなくなるなど。
【０００５】
【課題を解決するための手段】
上記問題を解決するため、本発明は、取引の履歴をログファイルとして記憶する記憶手段と、取り外しが可能な電子記録媒体にログファイルを書き込む記録媒体書込手段を有する自動取引装置において、電子記録媒体に書き込みを行っていないログファイルを第１の状態のログファイル、電子記録媒体に１度目の書き込みを行ったログファイルを第２の状態のログファイル、第１の状態のログファイルとして前記記憶手段に記憶されてから一定期間が経過した第２の状態のログファイルを第３の状態のログファイルとして、これら各ログファイルを前記記憶手段に記憶させ、所定のタイミングで前記第１の状態のログファイルと前記第３の状態のログファイルを前記記録媒体書込手段により同一の電子記録媒体に書き込むことを特徴とする。
【０００６】
【発明の実施の形態】
以下、図に示す実施の形態により本発明をさらに詳細に説明する。なお、これにより本発明が限定されるものではない。
図１は、本発明の一実施形態の自動取引装置のブロック図である。
自動取引装置１００は、顧客に対して操作の案内を行ったり，顧客からの指示や入力を受け取るための顧客操作・表示部１０と、係員に対して操作の案内を行ったり，係員からの指示や入力を受け取るための係員操作・表示部１１と、キャッシュカードや振込カードの磁気ストライプの読み取り／書き込みを行うためのカード処理部２０と、紙幣の入出金および計数を行うと共にそれらの紙幣を収納する紙幣処理部３０と、硬貨の入出金および計数を行うと共にそれらの硬貨を収納する硬貨処理部４０と、通帳の記帳を行うための通帳処理部６０と、取引の内容を印字したレシート（明細票）を発行するレシート処理部７０と、取り外しが可能な光磁気ディスクにログファイルを書き込む光磁気ディスクドライブ部７５と、上位装置であるホストコンピュータ１１０と接続部９５により接続されるメイン処理部８０と、ログファイルや他のデータを記憶するマスタハードディスク９０とスレーブハードディスク９１とを具備して構成される。
【０００７】
なお、図示しないが、自動取引装置１００は、モニタ盤および監視センタから監視できるようになっている。前記モニタ盤は、一つの営業店内の自動取引装置（数台〜数１０台）の状態を遠隔地にいる係員に知らせるためのものであり、営業店内の自動取引装置担当者の近くに設置されている。一方、監視センタは、銀行の全ての自動取引装置（数１００台〜数１０００台）を土日含めてずっと監視するものである。
【０００８】
自動取引装置１００では、随時発生する取り引きの履歴を、ログという形である単位で区切られたファイル（以下、ログファイルと言う）で前記マスタハードディスク９０とスレーブハードディスク９１に同一の内容をリアルタイムに書き込む。このとき、各取り引きに応じた各々の取引ログについては、一連のユニークなログ番号を付ける。
【０００９】
取り引きの履歴を日単位で区切ったとすると、例えば９７年１１月２８日の１日分のログは「97112800.log」というログファイルとして前記マスタハードディスク９０とスレーブハードディスク９１に同一の内容をリアルタイムに書き込まれる。なお、ここでは、説明の都合上、取り引きの履歴を日単位で区切るようにしたが、この限りではなく、取り引きの履歴を二日単位で区切るようにしてもよい。
【００１０】
前記マスタハードディスク９０に書き込んだログファイルは、前記光磁気ディスクドライブ部７５により、あるタイミングで、光磁気ディスクに書き込む。なお、説明の都合上、前記のあるタイミングとして朝電源を投入するタイミングとするが、この限りではなく、電源終了処理の中で行ってもよく、また今後の２４時間営業を考慮すると２４時１０分などに行ってもよい。
【００１１】
前記マスタハードディスク９０とスレーブハードディスク９１は、現在セットされている光磁気ディスクにどこからどこまでのログファイルを書き込んだかを記録する「現光磁気ディスクへコピー済みファイル管理表」を用意する。前記マスタハードディスク９０とスレーブハードディスク９１は、空の光磁気ディスクがセットされた場合は、「現光磁気ディスクへコピー済みファイル管理表」を「旧光磁気ディスクへコピー済みファイル管理表」とし、新規に「現光磁気ディスクへコピー済みファイル管理表」を生成する。
【００１２】
マスタハードディスク９０とスレーブハードディスク９１中の各ログファイルは４つの状態に基いて管理されている。光磁気ディスクに１度も書き込んでいないログファイルを未保存ログファイルとして、例えば「未保存」ディレクトリに保管し、光磁気ディスクに１度だけ書き込んだログファイルを保存済ログファイルとして、例えば「保存済」ディレクトリに保管し、生成してから一定の期間が経過したログファイルを削除予定ログファイルとして、例えば「削除予定」ディレクトリに保管し、光磁気ディスクに２度書き込んだログファイルを削除待ちログファイルとして、例えば「削除待ち」ディレクトリに保管する。なお、ここでは、ログファイルの状態によって４つのディレクトリに保管するように説明するが、別途管理ファイルを設けて管理してもよく、また各々のログファイル自身に管理フラグとして持っていてもよい。また、前記一定の期間として、５０営業日とするが、この限りではなく、例えば３０営業日または１００営業日としてもよい。  マスタハードディスク９０とスレーブハードディスク９１中の各ログファイルは、状態が変わったときに別のディレクトリに移動する。例えば、光磁気ディスクに１度書き込んだなら、そのログファイルを「未保存」ディレクトリから「保存済」ディレクトリに移動する。また、例えば、生成してから５０営業日が経過したなら、そのログファイルを「保存済」ディレクトリから「削除予定」ディレクトリに移動する。また、例えば、光磁気ディスクに２度書き込んだなら、そのログファイルを「削除予定」ディレクトリから「削除待ち」ディレクトリに移動する。
【００１３】
次に、図２のフローチャートを用いて、マスタハードディスク９０の中のログファイルを光磁気ディスクに書き込む場合における動作を説明する。
ステップＳ１では、電源を入れ、システムを起動する。
ステップＳ２では、起動時に、光磁気ディスクドライブ部７５に光磁気ディスクがセットされているか否かをチェックし、光磁気ディスクがセットされていればその残量を確認する。
【００１４】
光磁気ディスクドライブ部７５に光磁気ディスクがない場合は、例えば「光磁気ディスク無し」のようなメッセージを監視センタやモニタ盤に表示して係員が光磁気ディスクをセットするまで待つ。なお、「光磁気ディスク無し」のメッセージを表示するときにアラームを鳴らすようにしてもよい。
また、光磁気ディスクの残量に応じて、プレニアエンド、ニアエンド、エンドなどをアラームとし、監視センタやモニタ盤にメッセージを表示し、エンド時に新しい光磁気ディスクのセット待ちとする。
【００１５】
上記では、光磁気ディスクドライブ部７５に光磁気ディスクがない場合は、光磁気ディスクがセットされるまで待つように説明したが、自動取引装置１００のノンストップ性を優先させ、本来光磁気ディスクに書き込むべきログファイルを一時的にマスタハードディスク９０（とスレーブハードディスク９１）に書き込み、光磁気ディスクがセットされたときにこれらのログファイルを光磁気ディスクにコピーするようにしてもよい。これにより、自動取引装置１００の運用効率を低下させることなくログファイルを光磁気ディスクにコピーすることができる。
【００１６】
なお、上記ステップＳ２で新しい光磁気ディスクがセットされたならば、マスタハードディスク９０とスレーブハードディスク９１中の「現光磁気ディスクへコピー済みファイル管理表」を「旧光磁気ディスクへコピー済みファイル管理表」とし、新規に「現光磁気ディスクへコピー済みファイル管理表」を生成する。ステップＳ３では、マスタハードディスク９０を元にして、光磁気ディスクにコピーするログファイルの選定を行う。このとき、マスタハードディスク９０の前記「未保存」ディレクトリの中のログファイルと、これらのログファイルのファイル名とファイル数をリストアップする。また、マスタハードディスク９０の前記「削除予定」ディレクトリの中のログファイルと、これらのログファイルのファイル名とファイル数をリストアップする。なお、リストアップした「未保存」ディレクトリの中のログファイルと「削除予定」ディレクトリの中のログファイルのファイル数が一致する。
【００１７】
毎日１個のログファイルが作成されるので、通常、「未保存」ディレクトリと「削除予定」ディレクトリからそれぞれ１個のファイルがリストアップされる。なお、ログファイルをリストアップするタイミングによっては前日が営業休日（例えば日曜日）の場合は、「未保存」ディレクトリと「削除予定」ディレクトリからそれぞれ２個のファイルがリストアップされる場合がある。また、連休明けでは、「未保存」ディレクトリと「削除予定」ディレクトリからそれぞれ９個のファイルがリストアップされる場合がある。
【００１８】
ステップＳ４では、スレーブハードディスク９１を元にして、光磁気ディスクにコピーするログファイルの選定を行う。このとき、スレーブハードディスク９１の前記「未保存」ディレクトリの中のログファイルと、これらのログファイルのファイル名とファイル数をリストアップする。また、スレーブハードディスク９１の前記「削除予定」ディレクトリの中のログファイルと、これらのログファイルのファイル名とファイル数をリストアップする。なお、リストアップした「未保存」ディレクトリの中のログファイルと「削除予定」ディレクトリの中のログファイルのファイル数が一致する。
【００１９】
毎日１個のログファイルが作成されるので、通常、「未保存」ディレクトリと「削除予定」ディレクトリからそれぞれ１個のファイルがリストアップされる。なお、前日が営業休日（例えば日曜日）の場合は、「未保存」ディレクトリと「削除予定」ディレクトリからそれぞれ２個のファイルがリストアップされる。また、連休明けでは、「未保存」ディレクトリと「削除予定」ディレクトリからそれぞれ９個のファイルがリストアップされる場合がある。
【００２０】
ステップＳ５では、上記ステップＳ３でマスタハードディスク９０から選定したファイルと、上記ステップＳ４でスレーブハードディスク９１から選定したファイルの同一性を確認する。このとき、マスタハードディスク９０から選定したファイルとスレーブハードディスク９１から選定したファイルのファイル名、ファイル数、内容が一致するか否かを確認する。なお、ファイルの同一性が認められる場合は、ここまでのログの電子記録としての整合性は保証される。
【００２１】
上記ステップＳ５でファイルの同一性が認められない場合は、例えば「ログファイル内容相違」のようなメッセージを監視センタの表示画面または前記係員操作・表示部１１およびモニタ盤に表示して係員による復旧待ちとする。なお、「ログファイル内容相違」のメッセージを表示するときにアラームを鳴らすようにしてもよい。
【００２２】
ステップＳ６では、光磁気ディスクドライブ部７５を用いて、上記ステップＳ３で選定したログファイルを光磁気ディスクにコピーする。これにより、マスタハードディスク９０の「未保存」ディレクトリと「削除予定」ディレクトリの中のログファイルは光磁気ディスクにコピーされる。
ステップＳ７では、ログファイルをコピーした光磁気ディスクに対してライトアフターリードチェックを行う。
【００２３】
ステップＳ８では、ライトアフターリードチェックでエラーを検出したか否かを判定する。エラーを検出したならばステップＳ９に進み、エラーを検出していないならばステップＳ１０に進む。
ステップＳ９では、図３に示すエラー光磁気ディスク交換処理を実行する。
ステップＳ１０では、マスタハードディスク９０とスレーブハードディスク９１の中のログファイルの状態の更新やログファイルの削除を行う。このとき、上記ステップＳ６で、「未保存」ディレクトリと「削除予定」ディレクトリの中のログファイルが光磁気ディスクにコピーされるため、「未保存」ディレクトリの中のログファイルを「保存済」ディレクトリに移動し、「削除予定」ディレクトリの中のログファイルを「削除待ち」ディレクトリに移動する。さらに、「保存済」ディレクトリの中のログファイルについて、経過日数のチェックを行い、５０営業日を過ぎたログファイルについて、「保存済」ディレクトリから「削除予定」ディレクトリに移動する。一方、「削除待ち」ディレクトリの中のログファイルについても同様に経過日数のチェックを行い、１０１営業日を過ぎたログファイルについて、「削除待ち」ディレクトリから削除する。
【００２４】
「削除予定」ディレクトリの中のログファイルは、５０営業日前に別の光磁気ディスクに１度コピーされているため、今回２度目コピーしたことになる。また、「未保存」ディレクトリ中のログファイルは、５０営業日後に別の光磁気ディスクに２度目コピーすることになる。このように、同じログファイルを２枚の光磁気ディスクに分散させて書き込むため、一方の光磁気ディスクが壊れても他方の光磁気ディスクにデータが残ることとなる。
【００２５】
光磁気ディスクにコピーしたログファイルの改竄を防止するために公開鍵暗号方式の電子署名を付けておくことが好ましい。また、複数回消去書き込み可能な光磁気ディスクの代わりに、一回のみ記録のできる光磁気ディスクやＣＤ−ＲＯＭなど用いればログファイルの改竄の心配がなくなる。
光磁気ディスクの中のログファイルは、一般のパーソナルコンピュータや、自動取引装置自身や、営業店にあるテラー端末や、各種端末を用いて容易かつ迅速に検索することができるため、検索の操作性が向上する。なお、光磁気ディスクの中のログファイルは、検索することはできるが、電子署名を付けているため改竄はできず、ログファイルを安全に保管することができる。
【００２６】
次に、図３のフローチャートを用いて、上記ステップＳ９で行うエラー光磁気ディスク交換処理における動作を説明する。
ステップＳ９１では、光磁気ディスクに書き込みエラーが発生しているため、光磁気ディスクの交換を要求すると共にマスタハードディスク９０とスレーブハードディスク９１の「現光磁気ディスクへコピー済みファイル管理表」に基いてエラー光磁気ディスクにコピーしたログファイルを把握する。このとき、例えば「光磁気ディスクの交換が必要」のようなメッセージを監視センタの表示画面または前記係員操作・表示部１１やモニタ盤に表示して係員が新しい光磁気ディスクをセットするまで待つ。なお、「光磁気ディスクの交換が必要」のメッセージを表示するときにアラームを鳴らすようにしてもよい。
【００２７】
ステップＳ９２では、係員が書き込みエラーが発生した光磁気ディスクを取り出し、新しい光磁気ディスクをセットする。
ステップＳ９３では、前記「現光磁気ディスクへコピー済みファイル管理表」をもとにどこからどこまでのログファイルを光磁気ディスクにコピーしていたかを把握し、マスタハードディスク９０の「保存済」ディレクトリや「削除待ち」ディレクトリの中の該当するログファイルを光磁気ディスクにコピーする。これにより、エラー発生した光磁気ディスクに記録していたログファイルと同一のものが新しい光磁気ディスクに復元する。
【００２８】
ステップＳ９４では、ログファイルをコピーした光磁気ディスクに対してライトアフターリードチェックを行う。
ステップＳ９５では、ライトアフターリードチェックでエラーを検出したか否かを判定する。エラーを検出したならば上記ステップＳ９１に戻ってステップＳ９１〜ステップＳ９５まで繰り返す。エラーを検出していないならばステップＳ９６に進む。
【００２９】
ステップＳ９６では、エラーが発生した光磁気ディスクの交換が正常に終了したことを係員に通知する。この場合は、「エラー光磁気ディスク交換正常終了」のようなメッセージを前記係員操作・表示部１１に表示する。さらに、ライトアフターリードチェックの結果を印字したレシートを発行する。この次の動作は、図２のステップＳ１０に戻る。
【００３０】
上記図２の処理は、毎日朝電源投入時に自動的に行われるが、図４に、緊急に本日の現時点までのログを光磁気ディスクに吸い上げる場合の動作のフローチャートを示す。
ステップＴ１では、係員が使用する自動取引装置１００の各種のユーティリティ内の「ログ吸い上げ」を実行する。
【００３１】
ステップＴ２では、本日の現時点までのログを、ログファイルとして光磁気ディスクにコピーする。このとき前記の暗号化やチェックを行う。更に、本光磁気ディスクは途中吸い上げの光磁気ディスクである旨の記録を光磁気ディスク自身に書き込む。そして、この光磁気ディスクにも電子署名を付ける。
上記ステップＴ２で光磁気ディスクへのコピーが正常に終わったらならばその結果を係員に通知する。このとき、コピーの結果を印字したレシートを発行するかまたは、「コピー正常終了」のようなメッセージを前記係員操作・表示部１１に表示する。
【００３２】
ステップＴ３では、光磁気ディスクの交換を要求する。このとき、例えば「光磁気ディスクの交換が必要」のようなメッセージを前記係員操作・表示部１１に表示して係員が新しい光磁気ディスクをセットするまで待つ。
ステップＴ４では、係員がログファイルを吸い上げた光磁気ディスクを取り出し、新しい光磁気ディスクをセットする。
【００３３】
ステップＴ５では、前記「現光磁気ディスクへコピー済みファイル管理表」をもとにどこからどこまでのログファイルを光磁気ディスクにコピーしていたかを把握し、マスタハードディスク９０の「保存済」ディレクトリや「削除待ち」ディレクトリの中の該当するログファイルを光磁気ディスクにコピーする。これにより、エラーの発生した光磁気ディスクに記録していたログファイルと同一のものが新しい光磁気ディスクに復元する。
【００３４】
ステップＴ６では、ログファイルをコピーした光磁気ディスクに対してライトアフターリードチェックを行う。
ステップＴ７では、ライトアフターリードチェックでエラーを検出したか否かを判定する。エラーを検出したならば上記ステップＴ３に戻ってステップＴ３〜ステップＴ７まで繰り返す。エラーを検出していないならばステップＴ８に進む。
【００３５】
ステップＴ８では、ログファイルの吸い上げが正常に終了したことを係員に通知する。この場合は、「ログ吸い上げ正常終了」」のようなメッセージを前記係員操作・表示部１１に表示する。さらに、ライトアフターリードチェックの結果を印字したレシートを発行する。
上記自動取引装置１００によれば、取り引きの証拠となるロギングデータを光磁気ディスクに効率よく書き込むことができるため、人件費や紙ジャーナル費などを節約できると共に検索の操作性が向上する。また、同一のログファイルを２枚の光磁気ディスクに書き込むため、一方の光磁気ディスクからデータを読み取ることが不可能になっても他方の光磁気ディスクからデータを読み取ることができ、データの信頼性が向上する。
【００３６】
上記実施形態では、ハードディスクの中のログファイルを光磁気ディスクに書き込むように説明したが、大量のデータを記録することが可能で、高信頼性かつ低コストであれば例えばＣＤ−ＲやＣＤ−ＲＷや大容量ＦＤなどの記録媒体を用いるようにしてもよい。なお、光磁気ディスク以外の記録媒体を利用する場合は、光磁気ディスクドライブ部７５の代わりに、利用する記録媒体にデータを書き込むことができる構成を設ける。
【００３７】
【発明の効果】
以上説明したように、本発明の自動取引装置では、取り外しが可能な電子記録媒体にログファイルを書き込む。このため、人件費や紙ジャーナル費などを節約できると共に検索の操作性が向上する。
【図面の簡単な説明】
【図１】本発明の一実施形態の自動取引装置のブロック図である。
【図２】ログファイルを光磁気ディスクに書き込む場合にかかる動作のフローチャートである。
【図３】エラー光磁気ディスク交換処理にかかる動作のフローチャートである。
【図４】現時点でのログファイルを光磁気ディスクに書き込む場合にかかる動作のフローチャートである。
【符号の説明】
１００          自動取引装置
１０            顧客操作・表示部
１１            係員操作・表示部
２０            カード処理部
３０            紙幣処理部
４０            硬貨処理部
６０            通帳処理部
７０            レシート処理部
７５            光磁気ディスクドライブ部
９０            マスタハードディスク
９１            スレーブハードディスク
【図１】
0003759315.tif 000002
【図２】
0003759315.tif 000003
【図３】
0003759315.tif 000004
【図４】
0003759315.tif 000005